(57)【要約】【課題】  本発明の目的は、設置する物品の形状及び表面状態に左右されず、その上、再使用することができるＩＣタグ及びその製造方法、並びにその使用方法を提供することである。【解決手段】  ＩＣタグ１０１は、ＩＣチップ３と電気的に接合したアンテナ２を下ケース１ｂに配置した後、熱硬化性樹脂４を充填し、固定具取り付け部５ａと固定具取り付け部５ｃ、固定具取り付け部５ｂと固定具取り付け部５ｄがそれぞれ一致するように配置して下ケース１ｂに上蓋１ａを重ね、加熱し、熱硬化性樹脂４を硬化させ、下ケース１ｂと上蓋１ａを固着し、作製する。【選択図】  図１
2011059966.tif 000002
【特許請求の範囲】
【請求項１】
非接触方式の通信を行うＩＣチップ及びアンテナを筐体部に埋設して構成したＩＣタグであって、前記筐体部に、厚さ方向に貫通する固定具取り付け部を２つ以上設けたことを特徴とするＩＣタグ。
【請求項２】
前記固定具取り付け部は、外側面に達するスリットを備えたことを特徴とする請求項１に記載のＩＣタグ。
【請求項３】
前記筐体部は、前記ＩＣチップ及び前記アンテナを収納する樹脂製の下ケースと、前記下ケースを封口する樹脂製の上蓋と、前記下ケースに充填して前記ＩＣチップ及び前記アンテナを埋設する熱硬化性樹脂とを備えたことを特徴とする請求項１及び２に記載のＩＣタグ。
【請求項４】
前記ＩＣチップ及び前記アンテナを電気的に接続する工程と、金型に樹脂を射出して前記下ケース及び前記上蓋を成形する工程と、前記下ケースに前記ＩＣチップ及び前記アンテナを収納した後、前記熱硬化性樹脂を充填する工程と、前記固定具取り付け部を形成するように、前記下ケースに前記上蓋を重ね、前記熱硬化性樹脂を硬化させ、前記下ケースに前記上蓋を接合する工程とを有することを特徴とする請求項１乃至３のいずれかに記載のＩＣタグの製造方法。
【請求項５】
紐状あるいは帯状の固定具を物品に巻き回し、前記固定具取り付け部に通した後、前記固定具取り付け部の近傍で前記固定具を結び、装着することを特徴とする請求項１乃至３のいずれかに記載のＩＣタグの使用方法。
【発明の詳細な説明】
【技術分野】
【０００１】
本発明は、非接触式の通信を行い、情報の書き込み及び読み出しを行う、ＩＣタグ及びその製造方法、並びにその使用方法に関するものである。
【背景技術】
【０００２】
近年、非接触式の通信機能を有するＩＣチップとアンテナを有し、非接触式の通信を行い、大容量の情報の書き込み及び読み出しを行うＩＣタグが、販売や物流の分野における物品管理や、医療の分野における医薬品管理等に用いられてきている。
【０００３】
ＩＣタグは、何れの用途においても、管理する対象である物品に粘着層等を介して貼り付けたりして装着する必要がある。しかし、管理する対象である物品は、様々な外形、様々な表面状態のものがある為、粘着層等を介して貼り付けすることが困難な場合があり、粘着層等を介さずにＩＣタグを物品に装着する方法が必要とされている。
【０００４】
粘着層等を介さずにＩＣタグを物品に装着する方法としては、例えば、特許文献１に、細長く延在し可撓性を有するバンド部とバンド部の一端側に設けられバンド部の他端側が固定される結束部とからなる結束バンドと、バンド部に沿って密接状態に配された棒状のＩＣタグ（またはＲＦＩＤタグ）本体と、ＩＣタグ本体をバンド部と共に密着状態に被覆し収縮状態とされた熱収縮チュ−ブとを備え、ＩＣタグ本体が結束部から離間して配されている取付具付きのＩＣタグを用い、結束バンドの部分で物品をしばることでＩＣタグを物品に装着する方法が記載されている。
【先行技術文献】
【特許文献】
【０００５】
【特許文献１】特開２００８−３３７０６号公報
【発明の概要】
【発明が解決しようとする課題】
【０００６】
しかしながら、従来の取付具付きのＩＣタグでは、物品を縛るバンド部は、予め、所定の合成樹脂で、所定の寸法に加工されたものであり、様々な物品の形状や表面状態に対応する為には、バンド部の寸法や材質の異なる取付具付きのＩＣタグを複数種類用意する必要があり、汎用性がないという問題があった。
【０００７】
更に、従来の取付具付きのＩＣタグは、一度絞ると切る以外に取り外せない結束バンドで物品にＩＣタグを固定している為、物品からＩＣタグを取り外して再使用することができず、物品管理のコストが高くなるという問題があった。
【０００８】
本発明の目的は、装着する物品の形状及び表面状態に左右されず、その上、再使用することができるＩＣタグ及びその製造方法、並びにその使用方法を提供することである。
【課題を解決するための手段】
【０００９】
本発明によれば、非接触方式の通信を行うＩＣチップ及びアンテナを筐体部に埋設して構成したＩＣタグであって、前記筐体部に、厚さ方向に貫通する固定具取り付け部を２つ以上設けたことを特徴とするＩＣタグが得られる。
【００１０】
また、本発明によれば、前記固定具取り付け部は、外側面に達するスリットを備えたことを特徴とする上記のＩＣタグが得られる。
【００１１】
また、本発明によれば、前記筐体部は、前記ＩＣチップ及び前記アンテナを収納する樹脂製の下ケースと、前記下ケースを封口する樹脂製の上蓋と、前記下ケースに充填して前記ＩＣチップ及び前記アンテナを埋設する熱硬化性樹脂とを備えたことを特徴とする上記のＩＣタグが得られる。
【００１２】
また、本発明によれば、前記ＩＣチップ及び前記アンテナを電気的に接続する工程と、金型に樹脂を射出して前記下ケース及び前記上蓋を成形する工程と、前記下ケースに前記ＩＣチップ及び前記アンテナを収納した後、前記熱硬化性樹脂を充填する工程と、前記固定具取り付け部を形成するように、前記下ケースに前記上蓋を重ね、前記熱硬化性樹脂を硬化させ、前記下ケースに前記上蓋を接合する工程とを有することを特徴とする上記のＩＣタグの製造方法が得られる。
【００１３】
また、本発明によれば、紐状あるいは帯状の固定具を物品に巻き回し、前記固定具取り付け部に通した後、前記固定具取り付け部の近傍で前記固定具を結び、装着することを特徴とする上記のＩＣタグの使用方法が得られる。
【００１４】
本発明では、筐体部に複数の固定具取り付け部を設けることにより、この固定具取り付け部に紐状あるいは帯状の固定具を物品に巻き回し、固定具取り付け部に通した後、固定具取り付け部の近傍で固定具を結び、物品にＩＣタグを装着することができる。更に、固定具の結び目を解くことで、容易に物品からＩＣタグを外すことができる。
【００１５】
更に、本発明では、筐体部に複数設けた固定具取り付け部に、筐体部の側面から達するスリットを設けることにより、物品の紐状あるいは帯状の部位をこのスリットに通して、筐体部に複設けた固定具取り付け部に移動させることができ、物品に筐体部を装着することができる。更に、物品の紐状あるいは帯状の部位をこのスリットに通して、筐体部に複設けた固定具取り付け部の外に移動させることができ、容易に物品からＩＣタグを外すことができる。
【発明の効果】
【００１６】
本発明によれば、任意の長さの紐状あるいは帯状の固定具を物品に巻き回し、筐体部に複数設けた固定具取り付け部に通した後、固定具取り付け部の近傍で固定具を結んで装着する。更に、固定具の結び目を解くことで、容易に物品へのＩＣタグの装着及び分離をすることができ、更に、筐体部の側面から固定具取り付け部に達するよう設けたスリット通じて、物品の紐状あるいは帯状の部位を筐体部に設けた固定具取り付け部に移動させる、または、固定具取り付け部の外に移動させることで、紐状あるいは帯状の固定具を用いずに、物品へのＩＣタグの装着及び分離をすることができ、装着する物品の形状に左右されず、繰り返しの使用ができるＩＣタグ及びその製造方法、並びにその使用方法が得られる。
【図面の簡単な説明】
【００１７】
【図１】本発明のＩＣタグの第１の実施の形態を説明する図。
【図２】図１のＡ−Ａ線断面図。
【図３】本発明のＩＣタグの第１の実施の形態を物品に装着した第２の実施の形態を説明する図。
【図４】本発明のＩＣタグの第３の実施の形態を説明する図。
【図５】本発明のＩＣタグの第３の実施の形態を物品に装着した第４の実施の形態を説明する図。
【発明を実施するための形態】
【００１８】
図を参照し、本発明の実施の形態について説明する。
【００１９】
（第１の実施の形態）
図１は、本発明のＩＣタグの第１の実施の形態を説明する図であり、本発明に係るＩＣタグ及びその製造方法について説明するものである。
【００２０】
第１の実施の形態に係るＩＣタグ１０１は、筐体部に、非接触通信機能を有するＩＣチップ３と、電極端子１０２ａ及び電極端子１０２ｂを介してＩＣチップ３と電気的に接合したアンテナ２を埋設して構成する。筐体部は、略日の字状の上蓋１ａ、略日の字状の下ケース１ｂ、及び熱硬化性樹脂４で構成し、下ケース１ｂに充填した熱硬化性樹脂４を介して上蓋１ａを接着し、一体化する。上蓋１ａは、円板状の樹脂製平板であり、平板の中央部付近に開口部の形状が略半円状の固定具取り付け部５ａ及び固定具取り付け部５ｂを設けて作製する。下ケース１ｂは、円状の外形を有した樹脂製の箱であり、ＩＣチップ３とアンテナ２を収納する空間、及び箱底面内の中央部付近に開口部の形状が略半円状の固定具取り付け部５ｃ及び固定具取り付け部５ｄを設けて作製する。ＩＣチップ３及びアンテナ２は、充填した熱硬化性樹脂４で埋設して筐体部の内部に収納する。
【００２１】
ＩＣタグ１０１は、図１に示すように、ＩＣチップ３と電気的に接合したアンテナ２を下ケース１ｂに配置した後、熱硬化性樹脂４を充填し、固定具取り付け部５ａと固定具取り付け部５ｃ、固定具取り付け部５ｂと固定具取り付け部５ｄがそれぞれ一致するように配置して下ケース１ｂに上蓋１ａを重ね、加熱し、熱硬化性樹脂４を硬化させ、下ケース１ｂと上蓋１ａを固着し、作製する。
【００２２】
図２は、図１のＡ−Ａ線断面図であり、上蓋１ａを重ね合わせる前の状態であり、熱硬化性樹脂４を充填した後の下ケース１ｂの状態を示すものである。下ケース１ｂは、図２に示すように、ＩＣチップ３及びアンテナ２をそれぞれに収納する断面凹状の部位を備え、それらの部位は、固定具取り付け部５ｃ及び固定具取り付け部５ｄで隔てられている。
【００２３】
ＩＣチップ３は、非接触通信機能を有するものであれば良く、何れの周波数を用いたものでも良い。例えば、１３．５６ＭＨｚ、９００〜１０ＧＨｚの帯域の周波数を用いた非接触通信機能を有するＩＣチップ等を用いることができ、適宜選択するのが良い。
【００２４】
アンテナ２は、ＩＣチップ３の非接触通信機能に合わせて、適宜選択するのが良い。例えば、巻き線により作製したアンテナや、基板に金属箔をエッチングしたアンテナや、金属箔を打ち抜いたアンテナ等を用いることができ、適宜選択するのが良い。
【００２５】
下ケース１ｂ及び上蓋１ａは、樹脂を射出成形して作製する。用いる樹脂は、一般的な射出成形用の樹脂を用いることができ、適宜選択するのが良い。例えば、ＰＢＴ（ポリブチレンテレフタレート）、ＰＡ（ポリアミド）、ＰＣ（ポリカーポネート）、ＰＯＭ（ポリアセタール）、ＡＢＳ（アクリルブタジエンスチロール）等がある。
【００２６】
熱硬化性樹脂４は、一般的な熱硬化型の樹脂を用いることができ、適宜選択するのが良い。例えば、エポキシ樹脂、不飽和ポリエステル樹脂、フェノール樹脂等がある。
【００２７】
（第２の実施の形態）
図３は、本発明のＩＣタグの第１の実施の形態を物品に装着した第２の実施の形態を説明する図であり、本発明に係るＩＣタグの物品への使用方法について説明するものである。
【００２８】
ＩＣタグ１０１の使用方法は、図３のように、ゴム製の帯状の固定具６を物品１０３に巻きつけるとともに、固定具取り付け部５ｅ及び固定具取り付け部５ｆを通して引き回し、固定具取り付け部５ｅまたは固定具取り付け部５ｆの近傍で固定具６を結び、物品１０３に装着する。また、図示しないが、固定具６の結び目を解き、物品１０３からＩＣタグ１０１を取り外す。
【００２９】
尚、固定具取り付け部５ｅ及び固定具取り付け部５ｆは、図１で説明したように、固定具取り付け部５ａと固定具取り付け部５ｃ、固定具取り付け部５ｂと固定具取り付け部５ｄがそれぞれ一致するように配置し、下ケース１ｂに上蓋１ａを重ね、熱硬化性樹脂４を介して接合したことによって、作製された固定具取り付け部である。固定具取り付け部５ｅは、固定具取り付け部５ａと固定具取り付け部５ｃを接合したものであり、固定具取り付け部５ｆは、固定具取り付け部５ｂと固定具取り付け部５ｄを接合したものである。
【００３０】
固定具６は、本実施の形態では、ゴム製の帯状のものを用いて説明しているが、装着する物品の形状及び表面状態に合わせて適宜選択でき、形状は、紐状のものでもよい。長さは、装着する物品を一回り巻いた後、固定具取り付け部を通して引き回し、固定具取り付け部近傍で結び目を作ることができる程度の長さであれば良い。また、物品を数回巻き回しても良く、長めに設定するのがよい。材質は、ＩＣタグの非接触通信に影響を及ぼさないものであればよく、例えば、布、プラスチック等も用いることができる。
【００３１】
本実施の形態でＩＣタグの装着の対象とした物品１０３は、物品の外形に曲線部を有し、物品の表面が平滑であり、従来の取付具付きのＩＣタグの結束バンド部では物品を縛って装着することが困難であった物品である。例えば、ガラス製の瓶やＰＰ（ポリプロピレン）樹脂製の容器等である。
【００３２】
（第３の実施の形態）
図４は、本発明のＩＣタグの第３の実施の形態を説明する図であり、本発明に係る別の形態のＩＣタグ及びその製造方法について説明するものである。
【００３３】
第３の実施の形態に係るＩＣタグ１０４は、筐体部に、非接触通信機能を有するＩＣチップ１３、及びＩＣチップ１３と電気的に接合したアンテナ１２とを埋設して構成する。筐体部は、略日の字状の上蓋１１ａ、略日の字状の下ケース１１ｂ、及び熱硬化性樹脂１４で構成し、下ケース１１ｂに充填した熱硬化性樹脂１４を介して上蓋１１ａを接着し、一体化する。上蓋１１ａは、略円板状の樹脂製平板であり、平板の中央部付近に、開口部の形状が略半円状の固定具取り付け部５ｇ及び固定具取り付け部５ｈを設け、固定具取り付け部５ｇから外周に向かってスリット１５ｃを設け、固定具取り付け部５ｈから外周に向かってスリット１５ｄを設けて作製する。下ケース１１ｂは、略円状の外形を有した樹脂製の箱であり、ＩＣチップ１３とアンテナ１２を収納する空間、及び箱底面内の中央部付近に、開口部の形状が略半円状の固定具取り付け部５ｉ及び固定具取り付け部５ｊを設け、固定具取り付け部５ｉから外周に向かってスリット１５ａを設け、固定具取り付け部５ｊから外周に向かってスリット１５ｂを設けて作製する。ＩＣチップ１３及びアンテナ１２は、充填した熱硬化性樹脂１４で埋設して筐体部の内部に収納する。
【００３４】
ＩＣタグ１０４は、図４に示すように、ＩＣチップ１３と電気的に接合したアンテナ１２を下ケース１１ｂに配置した後、熱硬化性樹脂１４を充填し、固定具取り付け部５ｇと固定具取り付け部５ｉ、固定具取り付け部５ｈと固定具取り付け部５ｊ、スリット１５ｂとスリット１５ｄ、スリット１５ａとスリット１５ｃがそれぞれ一致するように配置して下ケース１１ｂに上蓋１１ａを重ね、加熱し、熱硬化性樹脂１４を硬化させ、下ケース１１ｂと上蓋１１ａを固着し、作製する。
【００３５】
本実施の形態に係るＩＣタグ１０４を構成する、ＩＣチップ１３、アンテナ１２、下ケース１１ｂ、上蓋１１ａ、熱硬化性樹脂１４のそれぞれは、図１に示す、第１の実施の形態に係るＩＣタグ１０１を構成する、ＩＣチップ３、アンテナ２、下ケース１ｂ、上蓋１ａ、熱硬化性樹脂４と同等のものが使用できる。
【００３６】
（第４の実施の形態）
図５は、本発明のＩＣタグの第３の実施の形態を物品に装着した第４の実施の形態を説明する図であり、本発明に係る別の形態のＩＣタグの物品への使用方法について説明するものである。
【００３７】
ＩＣタグ１０４は、次のようにして使用する。まず、図５に示すように、長方形の布からなり、その両端が物品１０５に縫い付けてある衣料品タグ１６を、スリット１５ｅ及びスリット１５ｆに通して、固定具取り付け部５ｋ及び固定具取り付け部５ｌに移動させ、ＩＣタグ１０４を物品１０５に装着する。また、図示しないが、衣料品タグ１６をスリット１５ｅ及びスリット１５ｆに通して、固定具取り付け部５ｋ及び固定具取り付け部５ｌからＩＣタグ１０４の外へ移動させ、物品１０５からＩＣタグ１０４を取り外す。
【００３８】
更に、ＩＣタグ１０４の固定具取り付け部５ｋ及び固定具取り付け部５ｌは、図３に示した、第１の実施の形態に係るＩＣタグ１０１の固定具取り付け部５ｅ及び固定具取り付け部５ｃと同様に、ゴム製の帯状の固定具６も用いることができ、ＩＣタグ１０４を物品１０３に装着することができ、更に、取り外しすることができる。
【００３９】
尚、固定具取り付け部５ｋ、固定具取り付け部５ｌ、スリット１５ｅ、及びスリット１５ｆは、図４で説明したように、固定具取り付け部５ｇと固定具取り付け部５ｉ、固定具取り付け部５ｈと固定具取り付け部５ｊ、スリット１５ａとスリット１５ｃ、スリット１５ｂとスリット１５ｄがそれぞれ一致するように配置し、下ケース１１ｂに上蓋１１ａを重ね、熱硬化性樹脂１４を介して接合したことによって、作製されたものである。固定具取り付け部５ｋは、固定具取り付け部５ｇと固定具取り付け部５ｉの接合したものであり、固定具取り付け部５ｌは、固定具取り付け部５ｈと固定具取り付け部５ｊの接合したものであり、スリット１５ｅは、スリット１５ａとスリット１５ｃの接合したものであり、スリット１５ｆは、スリット１５ｂとスリット１５ｄの接合したものである。
【００４０】
本実施の形態でＩＣタグの装着の対象とした物品１０５は、ＩＣタグを装着した時の物品の見栄えを考慮する必要があるもので、結束バンド部で縛って装着する従来の取付具付きのＩＣタグでは、見栄えの確保が困難な物品である。例えば、販売スペースに陳列されている衣服等である。
【００４１】
以上、図面を用いて本発明の実施の形態を説明したが、本発明は、これら実施の形態に限られるものではなく、本発明の趣旨を逸脱しない範囲で部材や構成の変更があっても本発明に含まれる。例えば、前記実施の形態では、上蓋及び下ケースの形状を、円板状または略円板状としているが、必ずしもこの様な構造である必要はなく、三角形、四角形等、その他の形状であっても、同様に本発明の実施の形態を成す。また、前記実施の形態では、固定具取り付け部の開口部の形状を略半円状としているが、必ずしもこの様な構造である必要はなく、円形、三角形、四角形等、その他の形状であっても、同様に本発明の実施の形態を成す。また、前記実施の形態では、固定具取り付け部の数を２つとして説明しているが、必ずしもこの様な構造である必要はなく、３つ以上であっても、同様に本発明の実施の形態を成す。すなわち、当事者であれば、当然なしえるであろう各種変形、修正もまた本発明に含まれることは勿論である。
【符号の説明】
【００４２】
１ａ、１１ａ  上蓋
１ｂ、１１ｂ  下ケース
２、１２  アンテナ
３、１３  ＩＣチップ
４、１４  熱硬化性樹脂
５ａ、５ｂ、５ｃ、５ｄ、５ｅ、５ｆ、５ｇ、５ｈ、５ｉ、５ｊ、５ｋ、５ｌ  固定具取り付け部
６  固定具
１５ａ、１５ｂ、１５ｃ、１５ｄ、１５ｅ、１５ｆ  スリット
１６  衣料品タグ
１０１、１０４  ＩＣタグ
１０３、１０５  物品
１０２ａ、１０２ｂ  電極端子
【図１】
2011059966.tif 000003
【図２】
2011059966.tif 000004
【図３】
2011059966.tif 000005
【図４】
2011059966.tif 000006
【図５】
2011059966.tif 000007